(57)【特許請求の範囲】
【請求項１】
コネクタであって、当該コネクタは、
ハウジング面に沿って横方向に延びるハウジングを含み、
該ハウジングは、回路基板上に設置され、且つ前記ハウジングを前記回路基板上に設置した場合に、前記ハウジングの前記ハウジング面は、前記回路基板の面に対して略平行となるように構成され、
前記ハウジングは、前記ハウジング面上に複数の電気ソケットと、複数の光ソケットとを含み、
前記電気ソケット及び前記光ソケットは、前記ハウジング面に対して垂直な挿入方向に接続可能であり、
前記電気ソケット及び前記光ソケットは、前記ハウジング面に配置され、且つ前記光ソケットは、前記ハウジング面に対して垂直な仕切り面について、前記電気ソケットが配置された側と反対側に配置される、
コネクタ。
【請求項２】
前記ハウジングは、前記光ソケットを取り付け及び取り外すためのラッチ／ラッチ解除機構を含む、
請求項１に記載のコネクタ。
【請求項３】
前記ハウジングは、トランシーバ・モジュールを取り付け及び取り外すためのラッチ及び排出機構を含む、
請求項１に記載のコネクタ。
【請求項４】
前記電気ソケットは、前記ハウジング面において横方向に及び前記ハウジング面に対して垂直な垂直方向に浮遊される、
請求項１に記載のコネクタ。
【請求項５】
前記ハウジングは、前記回路基板上に表面実装するように構成される、
請求項１に記載のコネクタ。
【請求項６】
前記電気ソケットの少なくとも１つは、雌型である、
請求項１に記載のコネクタ。
【請求項７】
前記電気ソケットは、矩形グリッドとして配置される、
請求項１に記載のコネクタ。
【請求項８】
前記複数の電気ソケットは、相手側コネクタに同時に接続するように構成される、
請求項１に記載のコネクタ。
【請求項９】
前記光ソケットの少なくとも１つが、前記ハウジング面において横方向に及び前記ハウジング面に対して垂直な垂直方向に浮遊して、相手側コネクタの対応する要素に自己整列するような少なくとも１つのフェルールを含む、
請求項１に記載のコネクタ。
【請求項１０】
前記光ソケットの少なくとも１つは、相手側コネクタからリボンファイバに光路を導くビーム誘導素子を含み、前記リボンファイバは、前記ハウジング面において前記ハウジングから横方向に延びる、
請求項１に記載のコネクタ。
【請求項１１】
前記光ソケットの少なくとも１つは、９０度の屈曲部を含む光路を有するプラスチック成形ファイバコリメータを含み、
該プラスチック成形ファイバコリメータは、自由形状の軸ずれパラボラを含む、
請求項１に記載のコネクタ。
【請求項１２】
相手側コネクタは、低挿入力（LIF）接続、ランドグリッドアレイ（LGA）接続、又は圧縮形式接続によって前記ハウジングに接続される、
請求項１に記載のコネクタ。
【請求項１３】
相手側コネクタは、前記電気ソケットの周辺部において前記ハウジングに接続される、
請求項１に記載のコネクタ。
【請求項１４】
コネクタであって、当該コネクタは、
ハウジング面に沿って横方向に延びるハウジングを備え、
前記ハウジングの前記ハウジング面は、回路基板の面に対して略平行に機械的に結合するように構成され、
前記ハウジングは、前記ハウジング面上に複数の電気ソケットと、複数の光ソケットとを含み、
前記電気ソケット及び前記光ソケットは、前記ハウジング面に対して垂直な挿入方向に接続可能であり、
前記電気ソケット及び前記光ソケットは、前記ハウジング面に配置され、且つ前記光ソケットは、前記ハウジング面に対して垂直な仕切り面について、前記電気ソケットが配置された側と反対側に配置される、
コネクタ。
【請求項１５】
前記コネクタは相手方コネクタをさらに含み、該相手方コネクタは嵌込み式光トランシーバ用の回路を含む、
請求項１４に記載のコネクタ。
【請求項１６】
コネクタであって、当該コネクタは、
ハウジング面に沿って横方向に延びるハウジングを備え、
該ハウジングは、回路基板上に設置され、且つ前記ハウジングを前記回路基板上に設置した場合に、前記ハウジングの前記ハウジング面は、前記回路基板の面に対して略平行となるように構成され、
前記ハウジングは、前記ハウジング面上に複数の電気ソケットと、複数の光ソケットとを含み、
前記電気ソケット及び前記光ソケットは、前記ハウジング面に対して垂直な挿入方向に接続可能であり、
前記電気ソケット及び前記光ソケットは、前記ハウジング面に配置され、且つ前記光ソケットは、前記ハウジング面に対して垂直な仕切り面について、前記電気ソケットが配置された側と反対側に配置され、
前記ハウジングは、前記光ソケットを取り付け及び取り外すためのラッチ／ラッチ解除機構を含み、
前記ハウジングは、トランシーバ・モジュールを取り付け及び取り外すためのラッチ及び排出機構を含み、
前記電気ソケットは、前記ハウジング面において横方向に及び前記ハウジング面に対して垂直な垂直方向に浮遊される、
コネクタ。
【請求項１７】
前記光ソケットの少なくとも１つが、前記ハウジング面において横方向に及び前記ハウジング面に対して垂直な垂直方向に浮遊して、相手側コネクタの対応する要素に自己整列するような少なくとも１つのフェルールを含む、
請求項１６に記載のコネクタ。
【請求項１８】
前記光ソケットの少なくとも１つは、相手側コネクタからリボンファイバに光路を導くビーム誘導素子を含み、前記リボンファイバは、前記ハウジング面において前記ハウジングから横方向に延びる、
請求項１６に記載のコネクタ。
【請求項１９】
前記光ソケットの少なくとも１つは、９０度の屈曲部を含む光路を有するプラスチック成形ファイバコリメータを含み、
該プラスチック成形ファイバコリメータは、自由形状の軸ずれパラボラを含む、
請求項１６に記載のコネクタ。
【請求項２０】
相手側コネクタは、低挿入力（LIF）接続、ランドグリッドアレイ（LGA）接続、又は圧縮形式接続によって前記ハウジングに接続される、
請求項１６に記載のコネクタ。
【請求項２１】
光学的接続及び電気的接続を同時に形成するための方法であって、当該方法は、
挿入方向に沿って相手側コネクタをハウジングに係合するステップであって、前記ハウジングは、前記挿入方向に対して垂直なハウジング面に沿って横方向に延びており、前記ハウジング面上には電気ソケットと光ソケットとが含まれ、前記ハウジング面は、回路基板の面に対して略平行となるように前記回路基板に設置される、係合するステップと、
前記相手側コネクタと前記ハウジングとの間に複数の電気的接続及び複数の光学的接続を同時に形成するステップであって、前記光学的接続は、前記ハウジング面に対して垂直な仕切り面について、前記電気的接続が形成された側と反対側に形成される、形成するステップと、を含む、
方法。
【請求項２２】
前記挿入方向に沿って前記相手側コネクタを前記ハウジングに係合するステップは、
前記相手側コネクタの周辺部の少なくとも１つの位置決め機構を、前記ハウジングの周辺部の少なくとも１つの対応する位置決め機構に位置合わせするステップを含む、
請求項２１に記載の方法。
【請求項２３】
前記挿入方向に沿って前記相手側コネクタを前記ハウジングに係合するステップは、
前記挿入方向に沿って前記ハウジングに対して前記相手側コネクタを押し込むステップをさらに含む、
請求項２２に記載の方法。
【請求項２４】
前記光学的接続の少なくとも１つは、前記ハウジング面において横方向に浮遊し、前記相手側コネクタの対応する要素と自己整列するようなハウジング内の少なくとも１つのフェルールを含む、
請求項２１に記載の方法。
【発明の詳細な説明】
【技術分野】
【０００１】
実施例は、概して、光トランシーバ、及びコンピュータ入力／出力システム用のコネクタに関する。
【背景技術】
【０００２】
情報処理システムは、光信号の送信と電気信号の送信との双方を利用することができる。多くの場合に、光信号と電気信号との間の変換が必要である。そのような例では、トランシーバを利用して、信号の形式の間の変換をすることができる。装置が縮小し続けるにつれて、信号送信線路、トランシーバ等の構成要素をより小さく、より信頼性高く製造するのを求める圧力が存在する。
【発明の概要】
【発明が解決しようとする課題】
【０００３】
多くの既存の光トランシーバは、別個の電気コネクタと光コネクタとを含む。例えば、特定のプラグイン可能なトランシーバは、その後端に電気コネクタと、その前端に光コネクタとを有し得る。２つの別々のコネクタを使用すると、トランシーバ上の物理的空間を費いやし、追加の組立工程を必要とすることがある。コストを削減し、信頼性を向上させ、及び光トランシーバ及び関連するコネクタ等の部品の使用を容易にすることが望ましい。
【図面の簡単な説明】
【０００４】
【図１】本発明の実施例に係るコネクタ及び相手側コネクタの一例を示す図である。
【図２】本発明の実施例に係るコネクタ部品の一例を示す図である。
【図３】本発明の実施例に係るコネクタを使用する方法の一例を示すフローチャートである。
【図４】本発明のいくつかの実施形態による電子システムのブロック図である。
【発明を実施するための形態】
【０００５】
図面では、必ずしも縮尺通りに描かれておらず、同様の参照符号は、異なる図で同様の構成要素を表すことができる。図面は、限定としてではなく例として、概して、本明細書で説明する様々な実施形態を示す。
本開示では、方向の参照は、回路基板の面に対してなされる。「上方の」、「横方向の」、「下方の」等の方向の参照は、回路基板の実際の姿勢に拘わらず、回路基板に関するものであることが理解される。
【０００６】
単一のハイブリッド式電気／光コネクタは、コネクタ上の要素と、相手側（嵌合側）コネクタの反対の性別の対応する要素との間に、単一の係合ステップにより電気的及び光学的な入力／出力接続の両方を同時に形成する。コネクタは、回路基板上に表面実装することができ、相手側コネクタは、コネクタ上に垂直方向にプラグイン可能である。コネクタ及び／又は相手側コネクタ上の光学素子は、着脱可能にすることができ、回路基板を含むシステムの組立てを簡素化することができる。ハイブリッド式電気／光コネクタは、光トランシーバ用の用途を有する。光トランシーバは、受信した電気信号を光信号に変換し、その光信号を光ファイバを介して送信し、及び光ファイバから受信した光信号を電気信号に変換する。
【０００７】
別個の光学的接続及び電気的接続を備えた設計と比較して、光学的接続及び電気的接続を同時に行う本発明のコネクタは、いくつかの利点を有することができる。例えば、本発明のコネクタは、殆どスペースを占有しない。別の例として、本発明のコネクタは、光学的接続及び電気的接続の両方を行うために、単一の取付けステップを使用して、取付けを簡素化することができる。さらに別の例として、本発明のコネクタは、トランシーバの取付け前に光ファイバを取り付けるのを可能にすることで、システムレベルでの光ファイバ管理を向上させることができる。さらに別の例として、本発明のコネクタによって、光ファイバをもつれさせる(disturbing)ことなく、トランシーバを交換可能にすることができる。
【０００８】
図１は、第１のコネクタ１００と、第２のコネクタ１０２との一例を示す。第１のコネクタ１００に対して第２のコネクタ１０２を押し込むことにより、第２のコネクタ１０２を第１のコネクタ１００に取り付ける場合に、第２のコネクタ１０２は、第１のコネクタ１００と光学的接続及び電気的接続を同時に形成する。一例では、第２のコネクタ１０２は、低挿入力（LIF）接続によって第１のコネクタ１００に接続される。一例では、第２のコネクタ１０２は、ランドグリッドアレイ（LGA）接続によって第１のコネクタ１００に接続される。他の例では、第２のコネクタ１０２は、圧縮形式接続又は他の適切な接続によって第１のコネクタ１００に接続される。第２のコネクタ１０２は、第１のコネクタ１００の一部ではない。
【０００９】
第１のコネクタ１００は、ハウジング１０４を含み、このハウジングは、ハウジング面１０６に沿って横方向に延びる。いくつかの例では、ハウジング１０４は、矩形の外周１０８を有する。いくつかの例では、この外周１０８は、第２のコネクタ１０２を横方向に位置付けできるリッジやリップ等の１つ又は複数の機構を含むことができる。
ハウジング１０４は、回路基板１１０上に設置され、このハウジング１０４を回路基板１１０上に設置した場合に、回路基板１１０の面に対して略平行となるように構成される。回路基板１１０は、典型的には、第１のコネクタ１００の一部ではない。いくつかの例では、ハウジング１０４は、回路基板１１０上に表面実装されるように構成される。いくつかの例では、回路基板１１０は、光トランシーバ用の回路基板である。
【００１０】
ハウジング１０４は、その上に複数の電気ソケット１１２と、複数の光ソケット１１４とを含む。電気ソケット１１２及び光ソケット１１４は、ハウジング面１０６に対して垂直な挿入方向１１６に接続可能である。一例では、電気ソケット１１２及び光ソケット１１４は、ハウジング面１０６に対して垂直な仕切り面１１８の両側に横方向に配置される。電気ソケット１１２を光ソケット１１４から分離することによって、ホスト回路基板１１０のレイアウトが簡素化される、ホスト回路基板１１０を含むシステム内の光ファイバのレイアウトが簡素化される等の利点がある。
【００１１】
ハウジング１０４上の電気ソケット１１２は、第２のコネクタ１０２上の反対の性別の対応する要素と電気的に接続される。いくつかの例では、電気ソケット１１２の少なくとも１つは、雌型である。他の例では、電気ソケット１１２の少なくとも１つは、雄型である。さらに他の例では、電気ソケット１１２は、雌型と雄型との両方の要素を含む。いくつかの例では、電気ソケット１１２は、矩形グリッドとして配置される。いくつかの例では、第２のコネクタ１０２は、電気ソケット１１２の周辺部でハウジング１０４に接続される。いくつかの例では、電気ソケット１１０は、第２のコネクタ１０２に同時に接続されるように構成される。いくつかの例では、光ソケット１１４は、第２のコネクタ１０２に同時に接続されるように構成される。いくつかの例では、電気ソケット１１０及び光ソケット１１４は全て、第２のコネクタ１０２に同時に接続されるように構成される。図１に示されるように、一例では、第２のコネクタ１０２は、挿入方向１１６に沿って第１のコネクタ１００に係合される。一例では、光ソケット１１４及び電気ソケット１１２は両方とも、同じ方向を向いており、同時接続を容易にする。図示の例では、光ソケット１１４及び電気ソケット１１２の両方は、基板１１０から離れる方向に上方に向いており、図示されるような挿入方向１１６の同時接続を容易にする。
【００１２】
いくつかの例では、第２のコネクタ１０２は、嵌込み式光トランシーバ用の回路を含む。光トランシーバを第２のコネクタに統合することにより、コネクタの部品点数を削減し、組立てが簡素化される。他の例では、光トランシーバは、第１のコネクタ１００に配置される。いくつかの例では、ハウジングは、光ソケット１１４を取り付け及び取り外すためのラッチ／ラッチ解除機構を含む。いくつかの例では、ハウジングは、トランシーバ・モジュールを取り付け及び取り外すためのラッチ及び排出機構を含む。
【００１３】
いくつかの例では、光ソケット１１４は、ハウジング内で横方向に及び垂直方向に浮遊(floated)している。図２は、図１の第１のコネクタ１００の遮るもののない状態の図を示す。図２に示されるように、一例では、光ソケット１１４は、例えば方向２０２に沿った、基板１１０に対して平行な面内での移動範囲が可能になる。一例では、移動範囲は、制限された移動量を可能にする嵌合公差の位置決めピンを使用して達成することができる。一例では、所定の移動範囲を可能にすることによって、光ソケット１１４が、第２のコネクタ１０２上の相手側コネクタにより容易に位置合わせされる。一例では、電気ソケット１１２は、第２のコネクタ１０２上の対応する電気ソケット（図示せず）と嵌合し、電気ソケット１１２は、第１のコネクタ１００に対する第２のコネクタの位置合せを実質的に決定する。次に、方向２０２等の、基板１１０に対して平行な面内の移動によって、光ソケット１１４が第２のコネクタの下面の対応する接続部（図示せず）により柔軟に嵌合するのが可能になる。
【００１４】
図１に示されるように、いくつかの例では、第２のコネクタ１０２は、第２のハウジング１５２を含み、この第２のハウジングは、第２のハウジング面１５４に沿って横方向に延びる。いくつかの例では、第２のハウジング１５２は、回路基板１１０上に設置されるハウジング１０４に機械的に結合するように構成される。いくつかの例では、第２のハウジング１５２及びハウジング１０４の両方は、ハウジング１０４を回路基板１１０上に設置する場合であって、第２のハウジング１５２をハウジング１０４に結合する場合に、回路基板１１０の面に対して略平行となる。いくつかの例では、第２のハウジング１５２は、回路基板１１０の面に対して略平行な平面に機械的に結合するように構成される。いくつかの例では、第２のハウジング１５２は、その上に複数の電気ソケットと、複数の光ソケットとを含む。いくつかの例では、電気ソケット及び光ソケットは、第２のハウジング１５２の面に対して垂直な挿入方向に接続可能である。いくつかの例では、電気ソケット及び光ソケットは、相手側ハウジング面１５４に対して垂直な仕切り面の両側に横方向に配置される。
【００１５】
いくつかの例では、光ソケット１１４の少なくとも１つは、第２のコネクタからリボンファイバ１２０に光路を導くビーム誘導(steering)素子を含む。リボンファイバ１２０は、ハウジング面１０６においてハウジング１０４から横方向に延びることができる。各リボンファイバ１２０は、互いに平行に延びる複数のファイバを含むことができる。各リボンファイバ１２０は、第１のコネクタ１００のそれぞれのフェルール１２２に光学的に接続される。図１の構成では、リボンファイバ１２０の下方／左から上方／右に進む光は、コリメートされ、上方に曲げられ、第１のコネクタ１００から出射され上方に進む。光路は、第１のコネクタ１００に衝突する第２のコネクタ１０２からの発信信号を、リボンファイバ１２０のいずれかの適切なファイバ内に集束させることができるように、可逆的である。
リボンファイバ１２０を使用する例が説明のために示されているが、本発明はこれに限定されるものではない。当業者は、個々のファイバ、束状ファイバ等の光ファイバの他の構成が、本発明の範囲内にあることを認識するであろう。
【００１６】
いくつかの例では、光ソケット１１４の少なくとも１つは、約９０度の屈曲部を含む光路を有するプラスチック成形ファイバコリメータを含む。いくつかの例では、プラスチック成形ファイバコリメータは、自由形状の軸ずれパラボラ(parabola)を含む。いくつかの例では、フェルール１２２は、ウルテム材料で成形され、フェルール・ハウス内に設置される。フェルール・ハウスは、第１のコネクタ１００又は第２のコネクタ１０２に取り付けることができる。いくつかの例では、光ソケット１１４の少なくとも１つは、ハウジング面１０６において横方向に浮遊して、第２のコネクタ１０２の対応する要素に自己整列するような少なくとも１つのフェルール１２２を含む。いくつかの例では、フェルール１２２は、第１のコネクタ１００から着脱可能である。いくつかの例では、フェルール１２２からの光ファイバは、ホスト回路基板１１０上の平面光回路網に予め固定又は結合することができる。
【００１７】
図３は、光学的接続及び電気的接続を同時に形成するための方法３００の一例を示すフローチャートである。この方法は、図１の第１のコネクタ１００で、又は任意の適切なコネクタで実行することができる。
３０２では、方法３００によって、挿入方向に沿って第２のコネクタをハウジングに係合する。ハウジングは、挿入方向に対して垂直なハウジング面に沿って横方向に延びる。３０４では、方法３００によって、第２のコネクタとハウジングとの間に複数の電気的接続と複数の光学的接続とを同時に形成する。電気的接続及び光学的接続は、ハウジング面に対して垂直な仕切り面の両側に形成される。
【００１８】
いくつかの例では、挿入方向に沿って第２のコネクタをハウジングに係合するステップは、第２のコネクタの周辺部の少なくとも１つの位置決め機構を、ハウジングの周辺部の少なくとも１つの対応する位置決め機構に位置合わせするステップを含む。いくつかの例では、挿入方向に沿って第２のコネクタをハウジングに係合するステップは、挿入方向に沿ってハウジングに対して第２のコネクタを付勢するステップをさらに含む。いくつかの例では、光学的接続部の少なくとも１つは、ハウジング面において横方向に浮遊し、第２のコネクタの対応する要素に自己整列するようなハウジング内の少なくとも１つのフェルールを含む。いくつかの例では、コネクタの１つは、光トランシーバを含む。一例では、光トランシーバは、第１の又は第２のコネクタのいずれかのハウジングに一体的に形成される。
【００１９】
本開示に記載されるような電気／光コネクタを使用する電子装置の例は、本発明について上位装置の適用例を示すために含まれている。図４は、本発明の少なくとも１つの実施形態に係る少なくとも１つの電気／光コネクタ及び／又は方法を組み込んだ電子装置４００のブロック図である。電子装置４００は、本発明の実施形態を使用することができる電子システムの一例に過ぎない。電子装置４００の例としては、パーソナルコンピュータ、タブレットコンピュータ、携帯電話、ゲーム機、ＭＰ３、又は他のデジタル音楽プレイヤー等が挙げられるが、これらに限定されるものではない。一例では、本発明の少なくとも一実施形態に係る少なくとも１つのＭＥＭＳスイッチ及び／又は方法は、所望の周波数を選択するアンテナと共に使用される。これらＭＥＭＳスイッチは、スイッチから、非常に低い信号の損失又は挿入損失のスイッチング機能を提供することができるので、ＭＥＭＳスイッチは、アンテナシステムに有用である。
【００２０】
この例では、電子装置４００は、データ処理システムを含み、このデータ処理システムは、そのシステムの様々なコンポーネントを結合するシステムバス４０２を含む。システムバス４０２は、電子装置４００の様々なコンポーネントの間に通信リンクを提供し、且つ単一のバスとして、複数のバスの組合せとして、又は他の任意の適切な方法で実現することができる。
電子アセンブリ４１０が、システムバス４０２に結合される。電子アセンブリ４１０は、任意の回路又は複数の回路の組合せを含むことができる。一実施形態では、電子アセンブリ４１０は、任意のタイプとすることができるプロセッサ４１２を含む。本明細書で使用する場合に、「プロセッサ」は、マイクロプロセッサ、マイクロコントローラ、複合命令セットコンピューティング（CISC）マイクロプロセッサ、縮小命令セットコンピューティング（RISC）マイクロプロセッサ、超長命令語（VLIW）マイクロプロセッサ、グラフィックプロセッサ、デジタル信号プロセッサ（DSP）、マルチコアプロセッサ、又は任意の他のタイプのプロセッサ又は処理回路等の任意のタイプの計算回路を意味するが、これらに限定されるものではない。
【００２１】
電子アセンブリ４１０に含めることができる他のタイプの回路は、携帯電話、タブレットコンピュータ、ラップトップコンピュータ、双方向無線機、及び同様の電子システム等の無線装置で使用するための例えば（通信回路４１４等の）１つ又は複数の回路のようなカスタム回路、特定用途向け集積回路（ASIC）等である。その集積回路は、他のタイプの関数を実行することができる。
電子装置４００は、外部メモリ４２０を含むこともでき、次に、ランダムアクセスメモリ（RAM）の形態のメインメモリ４２２、１つ又は複数のハードドライブ４２４、及び／又はコンパクトディスク（CD）、フラッシュメモリカード、デジタルビデオディスク（DVD）等のリムーバブルメディア４２６を扱う１つ又は複数のドライブ等の特定の用途に適した１つ又は複数のメモリ素子を含むことができる。
【００２２】
電子装置４００は、ディスプレイ装置４１６、１つ又は複数のスピーカ４１８、及びキーボード及び／又はコントローラ４３０を含むことができ、コントローラは、マウス、トラックボール、タッチスクリーン、音声認識装置、又はシステムユーザが電子装置４００との間で情報を入力し及び情報を受信するのを可能にする他の装置を含むことができる。
【００２３】
本明細書に開示された方法及び装置をより良く説明するために、実施形態の非限定的なリストが、ここに提供される。
実施例１は、コネクタであって、このコネクタは、ハウジング面に沿って横方向に延びるハウジングを含み、このハウジングは、回路基板上に設置され、ハウジングを回路基板上に設置した場合に、回路基板の面に対して略平行となるように構成され、ハウジングは、その上に複数の電気ソケットと、複数の光ソケットとを含み、電気ソケット及び光ソケットは、ハウジング面に対して垂直な挿入方向に接続可能であり、電気ソケット及び光ソケットは、ハウジング面に対して垂直な仕切り面の両側に横方向に配置される。
実施例２では、実施例１の主題には、ハウジングは、光ソケットを取り付け及び取り外すためのラッチ／ラッチ解除機構を含むことが、必要に応じて含まれる。
【００２４】
実施例３では、実施例１又は２の主題には、ハウジングは、トランシーバ・モジュールを取り付け及び取り外すためのラッチ及び排出機構を含むことが、必要に応じて含まれる。
実施例４では、実施例１〜３のいずれかの主題には、電気ソケットは、ハウジング面において横方向に及びハウジング面に対して垂直な垂直方向に浮遊されることが、必要に応じて含まれる。
実施例５では、実施例１〜４のいずれかの主題には、ハウジングは、回路基板上に表面実装するように構成されることが、必要に応じて含まれる。
実施例６では、実施例１〜５のいずれかの主題には、電気ソケットの少なくとも１つは、雌型であることが、必要に応じて含まれる。
【００２５】
実施例７では、実施例１〜６のいずれかの主題には、電気ソケットは、矩形グリッドとして配置されることが、必要に応じて含まれる。
実施例８では、実施例１〜７のいずれかの主題には、電気ソケットは、第２のコネクタに同時に接続するように構成されることが、必要に応じて含まれる。
実施例９では、実施例１〜８のいずれかの主題には、光ソケットの少なくとも１つは、ハウジング面において横方向に及びハウジング面に対して垂直な垂直方向に浮遊して、第２のコネクタの対応する要素に自己整合するような少なくとも１つのフェルールを含むことが、必要に応じて含まれる。
実施例１０では、実施例１〜９のいずれかの主題には、光ソケットの少なくとも１つは、第２のコネクタからリボンファイバに光路を導くビーム誘導素子を含み、そのリボンファイバは、ハウジング面においてハウジングから横方向に延びることが、必要に応じて含まれる。
【００２６】
実施例１１では、実施例１〜１０のいずれかの主題には、光ソケットの少なくとも１つは、９０度の屈曲部を含む光路を有するプラスチック成形ファイバコリメータを含み、プラスチック成型ファイバコリメータは、自由形状の軸ずれパラボラを含むことが、必要に応じて含まれる。
実施例１２では、実施例１〜１１のいずれかの主題には、第２のコネクタは、低挿入力（LIF）接続、ランドグリッドアレイ（LGA）接続、又は圧縮形式接続によってハウジングに接続されることが、必要に応じて含まれる。
実施例１３では、実施例１〜１２のいずれかの主題には、第２のコネクタは、電気ソケットの周辺部においてハウジングに接続されることが、必要に応じて含まれる。
実施例１４では、実施例１〜１３のいずれかの主題には、回路基板は、コンピュータシステム、スイッチ、ルータ、並直列変換回路(SerDes)、ＦＰＧＡパッケージ、又は光トランシーバ用の高速相互接続のための回路基板であることが、必要に応じて含まれる。
【００２７】
実施例１５は、コネクタであって、このコネクタは、ハウジング面に沿って横方向に延びるハウジングを備え、このハウジングは、その上に複数の電気ソケットと、複数の光ソケットとを含み、ハウジングは、回路基板の面に対して略平行な平面に機械的に結合するように構成され、電気ソケット及び光ソケットは、ハウジング面に対して垂直な挿入方向に接続可能であり、電気ソケット及び光ソケットは、ハウジング面に対して垂直な仕切り面の両側に横方向に配置される。
実施例１６では、実施例１５の主題には、嵌込み式光トランシーバのための回路をさらに含むことが、必要に応じて含まれる。
【００２８】
実施例１７は、コネクタであって、このコネクタは、ハウジング面に沿って横方向に延びるハウジングを備え、このハウジングは、回路基板上に設置され、且つハウジングを回路基板上に設置した場合に、回路基板の面に対して略平行となるように構成され、ハウジングは、その上に複数の電気ソケットと、複数の光ソケットとを含み、電気ソケット及び光ソケットは、ハウジング面に対して垂直な挿入方向に接続可能であり、電気ソケット及び光ソケットは、ハウジング面に対して垂直な仕切り面の両側に横方向に配置され、ハウジングは、光ソケットを取り付け及び取り外すためのラッチ／ラッチ解除機構を含み、ハウジングは、トランシーバ・モジュールを取り付け及び取り外すためのラッチ及び排出機構を含み、電気ソケットは、ハウジング面において横方向に及びハウジング面に対して垂直な垂直方向に浮遊される。
実施例１８では、実施例１７の主題には、光ソケットの少なくとも１つは、ハウジング面において横方向に及びハウジング面に対して垂直な垂直方向に浮遊して、第２のコネクタの対応する要素に自己整列するような少なくとも１つのフェルールを含むことが、必要に応じて含まれる。
【００２９】
実施例１９では、実施例１７又は１８の主題には、光ソケットの少なくとも１つは、第２のコネクタからリボンファイバに光路を導くビーム誘導素子を含み、リボンファイバは、ハウジング面においてハウジングから横方向に延びることが、必要に応じて含まれる。
実施例２０では、実施例１７〜１９のいずれかの主題には、光ソケットの少なくとも１つは、９０度の屈曲部を含む光路を有するプラスチック成形ファイバコリメータを含み、プラスチック成型ファイバコリメータは、自由形状の軸ずれパラボラを含むことが、必要に応じて含まれる。
実施例２１では、実施例１７〜２０のいずれかの主題には、第２のコネクタは、低挿入力（LIF）接続、ランドグリッドアレイ（LGA）接続、又は圧縮形式接続によってハウジングに接続されることが、必要に応じて含まれる。
【００３０】
実施例２２は、光学的接続及び電気的接続を同時に形成するための方法であって、この方法は、挿入方向に沿って第２のコネクタをハウジングに係合するステップであって、ハウジングは、挿入方向に対して垂直なハウジング面に沿って横方向に延びる、係合するステップと；第２のコネクタとハウジングとの間に複数の電気的接続と複数の光学的接続とを同時に形成するステップであって、電気的接続及び光学的接続は、ハウジング面に対して垂直な仕切り面の両側に形成される、形成するステップと；を含む。
実施例２３では、実施例２２の主題には、挿入方向に沿って第２のコネクタをハウジングに係合するステップは、第２のコネクタの周辺部の少なくとも１つの位置決め機構を、ハウジングの周辺部の少なくとも１つの対応する位置決め機構に位置合わせするステップを含むことが、必要に応じて含まれる。
実施例２４では、実施例２３の主題には、挿入方向に沿って第２のコネクタをハウジングに係合するステップは、挿入方向に沿ってハウジングに対して第２のコネクタを押し込むステップをさらに含むことが、必要に応じて含まれる。
実施例２５では、実施例２２〜２４のいずれかの主題には、光学的接続の少なくとも１つは、ハウジング面において横方向に浮遊し、第２のコネクタの対応する要素と自己整列するようなハウジング内の少なくとも１つのフェルールを含むことが、必要に応じて含まれる。
【００３１】
上記の詳細な説明は、詳細な説明の一部を形成する添付図面に対する参照を含む。図面は、例示するために、本明細書で説明する方法、装置、及びシステムが実施される特定の実施形態を示している。これらの実施形態は、本明細書では「例」としても参照される。このような例は、図示又は記載されたものに加えて要素を含むことができる。しかしながら、本発明者らは、図示又は記載された要素のみが設けられた例も企図している。また、本発明者らは、本明細書に図示又は記載された特定の実施例（或いは、１つ又は複数のそれらの態様）に関して、又は他の実施例（或いは、１つ又は複数のそれらの態様）に関してのいずれかで、図示又は記載されたそれらの要素（或いは、１つ又は複数のそれらの態様）の任意の組合せ又は置換を使用する実施例も企図する。
【００３２】
この文書では、用語「１つの(a,  an)」は、特許文書で一般的であるように、他の例、すなわち「少なくとも１つ」又は「１つ又は複数の」の使用法とは無関係に、１つ又は複数を含むように使用される。この文書では、用語「又は」は、非排他的に参照するために使用され、すなわち、「Ａ又はＢ」は、他に指示しない限り、「ＢではなくＡ」、「ＡではなくＢ」、及び「Ａ及びＢ」を含む。この文書では、用語「含む、有する(including)」及び「ここで(in  which)」は、それぞれの用語「備える、有する、含む(comprising)」及び「ここで(wherein)」の平易な英語の同等物として使用されている。また、以下の特許請求の範囲では、用語「含む、有する(including)」及び「備える、有する、含む(comprising)」は、オープンエンドであり、すなわち、請求項内の用語の後に列挙されたものに加えて要素を含むシステム、装置、物品、組成物、形成、又はプロセスは、依然としてその請求項の範囲内にあるとみなされる。また、以下の特許請求の範囲において、用語「第１」、「第２」、及び「第３」等は、単にラベルとして使用され、それらの対象物に数的な要件を課すことを意図するものではない。
【００３３】
上記の説明は、例示を意図しており、限定するものではない。例えば、上記実施例（又は、１つ又は複数のそれらの態様）は、互いに組み合わせて使用することができる。当業者が上記の記載を検討すること等により、他の実施形態を使用することができる。要約は、３７Ｃ．Ｆ．Ｒ．§１．７２（ｂ）に準拠するように提供されており、読者が技術的開示の特性を迅速に確認できるようにしている。この要約書は、特許請求の範囲又は意味を解釈又は限定するために使用されないという理解の下で提出されている。また、上記の詳細な説明では、様々な機構は、開示を合理化するために一緒にグループ化してもよい。これは、未請求の開示された機構が、任意の請求項に不可欠であることを意図するものと解釈すべきではない。むしろ、本発明の主題は、開示された特定の実施形態の全ての機構よりも少ない機構で存在し得る。従って、以下の特許請求の範囲は、各請求項がそれ自体で別個の実施形態として自立した状態で、実施例又は実施形態として詳細な説明に組み込まれ、そしてそのような実施形態は、種々の組合せ又は置換で互いに組み合わせることができることが企図される。本発明の範囲は、このような特許請求の範囲が権利を有する均等物の全範囲と共に、添付の特許請求の範囲を参照して決定するべきである。
【図１】
0006363193.tif 000002
【図２】
0006363193.tif 000003
【図３】
0006363193.tif 000004
【図４】
0006363193.tif 000005